(57)【要約】【課題】容量の異なる電池を使い分けることができる電子機器を提供する。【解決手段】電子機器１０において、第１電池を保持するように形成される第１スペースＳ１と、前記第１スペースＳ１から拡張されこの第１スペースＳ１とともに第２電池を保持するように形成される第２スペースＳ２と、択一的に収容される前記第１電池及び前記第２電池から電力供給を受ける接触端子１８と、を備えることを特徴とする。【選択図】図２
2011139399.tif 000002
【特許請求の範囲】
【請求項１】
第１電池を保持するように形成される第１スペースと、
前記第１スペースから拡張されこの第１スペースとともに第２電池を保持するように形成される第２スペースと、
択一的に収容される前記第１電池及び前記第２電池から電力供給を受ける接触端子と、を備えることを特徴とする電子機器。
【請求項２】
前記第１スペースに形成されるとともに前記接触端子から付勢力を受けた前記第１電池が当接する第１当接面と、
前記第２スペースに形成されるとともに前記接触端子から付勢力を受けた前記第２電池が当接する第２当接面と、を備えることを特徴とする請求項１に記載の電子機器。
【請求項３】
前記第１スペースには、前記第１電池又は前記第２電池を係止するための係止片が設けられていることを特徴とする請求項１又は請求項２に記載の電子機器。
【請求項４】
電子機器の第１スペースに案内され接触端子に接触して電力供給する電極が設けられている拡幅部と、
前記第１スペースから拡張される第２スペースに案内されるとともに前記接触端子から前記電極に付与される付勢力によってこの第２スペースの当接面に当接する胴体部と、を備えることを特徴とする電子機器用電池。
【請求項５】
前記拡幅部には、前記第１スペースにおいて係止される切欠が設けられていることを特徴とする請求項４に記載の電子機器用電池。
【発明の詳細な説明】
【技術分野】
【０００１】
本発明は、容量の異なる電池を使い分けることができる電子機器、及びそのような使い分けを可能にする電子機器用電池に関する。
【背景技術】
【０００２】
携帯型の電子機器のなかには、商用電源が供給されない場所においても必要な駆動電力を賄えるように、充電可能な高出力密度の電池を内部収納しているものがある。そして、電子機器の使用により、電池出力が低下するとこの電池を充電して出力を回復させる。
【０００３】
ところで、一回の充電から次の充電が必要になるまでの期間は、電子機器の駆動時間及び電池の容量に依存するものである。このために電子機器は、ユーザの使用態様に併せて、容量の異なる複数の電池を使い分けることができるように製品設計されていることが望ましい。
【０００４】
このような電池容量の多様化を求めるユーザニーズに応える従来の電子機器としては、電池の３サイズ（長さ、幅、厚み）のうち厚さが異なる電池を使用できるように、製品設計されているものがあった（例えば、特許文献１）。
【先行技術文献】
【特許文献】
【０００５】
【特許文献１】特開２００７−６８１９６号公報
【発明の概要】
【発明が解決しようとする課題】
【０００６】
しかし、そのような従来の電子機器では、特に薄さや小ささが追及される携帯電話や情報端末等の製品においては、サイズの大きな電池を装着した場合、使い勝手の低下が避けられない。  
また、電池の３サイズのうち長さや幅を変更して異なるサイズの電池の使い分けを図るにも、電池の固定支持機構の共通化が困難であった。
【０００７】
本発明はこのような事情を考慮してなされたもので、異なるサイズの電池を収納する構造を有する電子機器及びそのような電子機器に好適に採用される電子機器用電池を提供することを目的とする。
【課題を解決するための手段】
【０００８】
本発明に係る電子機器は、第１電池を保持するように形成される第１スペースと、前記第１スペースから拡張されこの第１スペースとともに第２電池を保持するように形成される第２スペースと、択一的に収容される前記第１電池及び前記第２電池から電力供給を受ける接触端子と、を備えることを特徴とする。  
また本発明に係る電子機器用電池は、電子機器の第１スペースに案内され接触端子に接触して電力供給する電極が設けられている拡幅部と、前記第１スペースから拡張される第２スペースに案内されるとともに前記接触端子から前記電極に付与される付勢力によってこの第２スペースの当接面に当接する胴体部と、を備えることを特徴とする。
【発明の効果】
【０００９】
本発明によれば、異なるサイズの電池を収納する構造を有する電子機器及びそのような電子機器に好適に採用される電子機器用電池が提供される。
【図面の簡単な説明】
【００１０】
【図１】本発明の実施形態に係る電子機器の操作面を示す斜視図。
【図２】本発明の実施形態に係る電子機器の背面を示す斜視図。
【図３】本実施形態に係る電子機器に適用される第１電池の斜視図。
【図４】本実施形態に係る電子機器に適用されるとともに本発明に係る電子機器用電池（第２電池）の実施形態を示す斜視図。
【図５】電子機器における第１電池の収容工程を（Ａ）（Ｂ）（Ｃ）の順に示す工程図。
【図６】電子機器における第２電池の収容工程を（Ａ）（Ｂ）（Ｃ）の順に示す工程図。
【発明を実施するための形態】
【００１１】
以下、本発明の実施形態を添付図面に基づいて説明する。  
図１に示されるように、電子機器１０の操作面は、データを表示するとともに接触によりデータを入力するタッチスクリーン１１と、音声を出力するためのスピーカ１２と、音声を入力するためのマイクロフォン１４とが、矩形の筐体１５に支持されている。
【００１２】
タッチスクリーン１１は、画面データを表示する表示機能と、ユーザが指や専用のペンで画面に触れた際にこの接触位置を検知することにより指示を入力する入力機能とを備えている。  
このタッチスクリーン１１の表面は、接触を検知するための素子が複数配置され、さらにその上に透明なスクリーンが積層されている。そして、タッチスクリーン１１における接触の感知は、圧力の変化を感知する感圧式であったり、静電気による電気信号を感知する静電式であったりするが、その他の方法も適宜採用される。
【００１３】
図２に示されるように、電子機器１０の裏面は、背面パネル１６の段差面２８に、電池収容部２０が設けられている。そして、電子機器１０の通常の使用時においてこの電池収容部２０は、着脱自在な天板１７に覆われている。  
この天板１７は、その周縁からの突起片１７ａが、溝１７ｂに係合することにより、背面パネル１６と一体化して固定される。
【００１４】
電池収容部２０は、第１電池３０（図３）を保持するように形成される第１スペースＳ１と、この第１スペースＳ１から拡張されこの第１スペースＳ１とともに第２電池６０（図４）を保持するように形成される第２スペースＳ２とが、底面２１を共有するように構成されている。
【００１５】
第１スペースＳ１は、底面２１の縁端から垂直方向に形成される、端面２２と、対向する一対の第１案内面２３と、延長面が互いに一致する一対の第１当接面２４とに囲まれている。  
第２スペースＳ２は、底面２１の縁端から垂直に形成される、対向する一対の第２案内面２５と、これに両端が交わる第２当接面２６とに囲まれている。
【００１６】
これらのうち端面２２には、電子機器１０に駆動電力を導く接触端子１８が設けられている。さらに、この端面２２と一対の第１案内面２３とが成すコーナーの開口部分には、係止片２７が設けられ、電池収容部２０に収容された第１電池３０又は第２電池６０を第１スペースＳ１において係止する。
【００１７】
接触端子１８は、択一的に収容される第１電池３０（図３）及び第２電池６０（図４）から電力供給を受けることができるように設けられている。さらに、接触端子１８は、端面２２の垂直方向に突出して、収容された第１電池３０又は第２電池６０を弾性的に付勢するように構成されている。
【００１８】
図３に示されるように、第１電池３０は、上面３１と、下面３２と、一対の側面３３と、正面３４と、裏面３５からなる直方体形状を成している。  
これらのうち正面３４に設けられる電極３６は、電池収容部２０（図２）の接触端子１８に接触し、第１電池３０から電子機器１０へ駆動電力を供給する。
【００１９】
そして、一対の切欠３７が、上面３１、側面３３及び正面３４が成す頂点部分に形成され、電池収容部２０（図２）の係止片２７に接触して、第１電池３０が第１スペースＳ１から脱落するのを防止する。
【００２０】
図５（Ａ）から図５（Ｃ）に、第１電池３０を電池収容部２０に収容する工程が示されている。まず、図５（Ａ）に示すように、第１電池３０を電池収容部２０の第１スペースＳ１の上方に位置させる。
【００２１】
次に、図５（Ｂ）に示すように、第１電池３０の一対の側面３３を電池収容部２０の一対の第１案内面２３のそれぞれに案内させる。そして、第１電池３０の上面３１を傾斜させながら下辺を電池収容部２０の底面２１に滑らせ、第１電池３０の正面３４を電池収容部２０の端面２２の方向に移動させる。  
そして、第１電池３０の切欠３７が電池収容部２０の係止片２７に係合したところで、傾斜している第１電池３０を水平に倒す。  
このとき、第１電池３０の正面３４が接触端子１８に接触した後は、その弾性的な付勢力に抗って、第１電池３０をさらに押し込んで第１スペースＳ１の中に落とし込む。
【００２２】
すると、図５（Ｃ）に示すように、第１電池３０は、電池収容部２０の第１スペースＳ１に一体的に収納される。  
このとき、接触端子１８からの付勢力によって、第１電池３０の裏面３５は、第１スペースＳ１の第１当接面２４に当接している。さらに、第１電池３０は、その切欠３７において電池収容部２０の係止片２７に係止され、慣性力が付与しても脱抜することなく安定保持される。
【００２３】
そして、この状態において第１電池３０の下面３２は電池収容部２０の底面２１に接触するとともに、その上面３１は電子機器１０の背面における段差面２８と面が合った状態になる。  
この状態で、天板１７（図２）を取り付けることによって、第１電池３０は、電池収容部２０に押し付けられて、電子機器１０の使用時においてずれることがない。
【００２４】
図４に示されるように、第２電池６０は、拡幅部４０及び胴体部５０とから構成され、それぞれの上面４１及び下面４２が連続している。  
拡幅部４０は、上面４１と、下面４２と、一対の第１側面４３と、正面４４と、張出面４８とを有している。  
胴体部５０は、一対の第２側面５３と、先端面５５とを有している。  
ここで、第２電池６０における第１側面４３及び第２側面５３は、張出面４８を介して、階段状につながっている。
【００２５】
これらのうち正面４４に設けられる電極４６は、電池収容部２０（図２）の接触端子１８に接触し、第２電池６０から電子機器１０へ駆動電力を供給する。  
そして、一対の切欠４７が、上面４１、側面４３及び正面４４が成す頂点部分に形成され、電池収容部２０（図２）の係止片２７に接触して、第２電池６０が脱落するのを防止する。
【００２６】
図６（Ａ）から図６（Ｃ）に、第２電池６０を電池収容部２０に収容する工程が示されている。まず、図６（Ａ）に示すように、第２電池６０を電池収容部２０の第１スペースＳ１及び第２スペースＳ２の上方に位置させる。
【００２７】
次に、図６（Ｂ）に示すように、第２電池６０における拡幅部４０の一対の第１側面４３を電池収容部２０の一対の第１案内面２３のそれぞれに案内させる。そして、第２電池６０の上面４１を傾斜させながら拡幅部４０の下辺を電池収容部２０の底面２１に滑らせ、第２電池６０の正面４４を電池収容部２０の端面２２に近接させる。  
そして、第２電池６０の切欠４７が電池収容部２０の係止片２７に係合したところで、第２電池６０の傾斜を水平に倒す。
【００２８】
このとき、第２電池６０の正面４４が接触端子１８に接触した後は、その弾性的な付勢力に抗って、さらに第２電池６０を押し込んで、拡幅部４０を第１スペースＳ１の中に落とし込む。  
さらに引き続き、第２電池６０における胴体部５０の一対の第２側面５３を電池収容部２０の一対の第２案内面２５のそれぞれに案内させて、胴体部５０を第２スペースＳ２の中に落とし込む。
【００２９】
すると、図６（Ｃ）に示すように、第２電池６０は、電池収容部２０の第１スペースＳ１及び第２スペースＳ２に一体的に収納される。  
このとき、接触端子１８からの付勢力によって、第２電池６０における胴体部５０の先端面５５は、第２スペースＳ２の第２当接面２６に当接している。
【００３０】
なお、第２電池６０における張出面４８と電池収容部２０の第１当接面２４との間にはクリアランスを設け、接触端子１８における付勢力の殆どが、第２スペースＳ２の第２当接面２６に付与されるようにする。  
さらに、第２電池６０は、その切欠４７において電池収容部２０の係止片２７に係止され、慣性力が付与しても脱抜することなく安定保持される。
【００３１】
そして、この状態において第２電池６０の下面４２は電池収容部２０の底面２１に接触するとともに、その上面４１は電子機器１０の背面における段差面２８と面が合った状態になる。  
この状態で、天板１７（図２）を取り付けることによって、第２電池６０は、電池収容部２０に押し付けられて、電子機器１０の使用時においてずれることがない。
【００３２】
本発明は前記した実施形態に限定されるものでなく、共通する技術思想の範囲内において、適宜変形して実施することができる。  
例えば本発明に係る電子機器１０は、実施形態においてタッチパネル式のモバイル機器を例示して説明しているが、これに限定されるものではなく、携帯電話機、ＰＨＳ(Personal Handyphone System)、ＰＤＡ(Personal Digital Assistants)、ＭＩＤ(Mobile Internet Device)、携帯音楽プレイヤー、携帯ビデオカメラ、携帯ゲーム機、その他の情報通信端末や家電製品等、駆動電力を電池から供給させるものであれば全て該当する。
【符号の説明】
【００３３】
１０…電子機器、１１…タッチスクリーン、１２…スピーカ、１３…マイクロフォン、１５…筐体、１６…背面パネル、１７…天板、１７ａ…突起片、１７ｂ…溝、１８…接触端子、２０…電池収容部、２１…底面、２２…端面、２３…第１案内面、２４…第１当接面、２５…第２案内面、２６…第２当接面、２７…係止片、２８…段差面、３０…電池、３１…第１電池の上面、３２…第１電池の下面、３３…第１電池の側面、３４…第１電池の正面、３５…第１電池の裏面、３６…第１電池の電極、３７…第１電池の切欠、４０…拡幅部、４１…第２電池の上面、４２…第２電池の下面、４３…第２電池の第１側面、４４…第２電池の正面、４６…第２電池の電極、４７…第２電池の切欠、４８…第２電池の張出面、５０…胴体部、５３…第２電池の第２側面、５５…第２電池の先端面、６０…第２電池、Ｓ１…第１スペース、Ｓ２…第２スペース。
【図１】
2011139399.tif 000003
【図２】
2011139399.tif 000004
【図３】
2011139399.tif 000005
【図４】
2011139399.tif 000006
【図５】
2011139399.tif 000007
【図６】
2011139399.tif 000008